(57)【要約】      （修正有）【課題】  排水トラップ設備や配管の接合状態の良否並びに汚れを目視で容易に確認できるようにする。【解決手段】  排水トラップ本体１に、トラップ機能をはたす封水カップ２と、該封水カップ２に流水間隔をあけて嵌挿され下端開口部３１で連通する封水筒３と、該封水筒３に流水間隔をあけて嵌挿され、翼片８を介して前記封水カップ２に載置される案内筒４とを挿脱自在に備えると共に、前記排水トラップ本体１に、排水ホースＢが接続されるエルボを含む排水ホース取付用のホースジョイント５を備えた目皿６が目皿受７を介して着脱自在にねじ込み或いは嵌合配備されたものからなり、前記排水トラップ本体１に排水管Ａを連結できる横引き或いは縦引きの接続部１１を一体形成し、この排水トラップ本体１または／およびホースジョイント５さらには防水パンのか蓋体２３を無色透明、有色透明或いは半透明の合成樹脂によって内部を透視できる目視可能の構成とした。【選択図】    図１
2006097408.tif 000002
【特許請求の範囲】
【請求項１】
防水パン或いは床面の排水口に嵌合されて床面に固定される排水トラップ本体に、トラップ機能をはたす封水カップと、該封水カップに流水用の間隔をあけて嵌挿され下端開口部で連通する封水筒と、さらに該封水筒に流水間隔をあけて嵌挿され、前記封水カップに載置される案内筒とを挿脱自在に備えると共に、前記排水トラップ本体に、排水ホースが接続されるエルボを含む排水ホース取付用のホースジョイントを備えた目皿が目皿受を介して着脱自在にねじ込み或いは嵌合配備されるものからなり、さらに前記排水トラップ本体に排水管を連結できる接続部を一体形成して、この排水トラップ本体および前記ホースジョイントを無色透明ないし有色透明或いは半透明の合成樹脂によって目視可能の構成にしたことを特徴とする洗濯機用排水トラップ。
【請求項２】
請求項１記載の洗濯機用排水トラップにおいて、前記封水カップが、前記目皿受に挿脱自在に嵌挿される有底筒体であって、筒体上部周側面に流水スリットを複数設けると共に、前記封水筒を嵌合載置することを特徴とする洗濯機用排水トラップ。
【請求項３】
請求項１または２記載の洗濯機用排水トラップにおいて、前記封水筒が、前記封水カップに嵌挿されるテーパー筒部を有し、かつ前記目皿受に嵌合されるフランジを有する中空筒体であって、該フランジの底面にシール部材を定着して前記封水カップ上面に密着され、中空筒体の下端開口部内に前記案内筒外周に突設した消泡リブが挿入配備される形態としたことを特徴とする洗濯機用排水トラップ。
【請求項４】
請求項２または３記載の洗濯機用排水トラップにおいて、前記案内筒が前記ホースジョイントに接続される中空筒体であって、筒体下端外周に外環板を突設し、該外環板に所定間隔をあけて筒体外周に消泡リブを設けると共に、前記封水カップの内底面に載置される翼片を所定間隔をあけて案内筒底面に立設して流水用の隙間をあけて配備されたことを特徴とする洗濯機用排水トラップ。
【請求項５】
請求項２、３または４記載の洗濯機用排水トラップにおいて、前記案内筒が排水トラップ本体の底面中央部位に形成されたなだらかな曲面からなる凸面部に臨んで所定間隔をあけて開口連通されていることを特徴とする洗濯機用排水トラップ。
【請求項６】
請求項２、３、４または５に記載の洗濯機用排水トラップにおいて、排水ホース取付用のホースジョイントが、無色透明ないし有色透明或いは半透明の合成樹脂によって構成して内部を目視できるようにし、前記案内筒に嵌合する外周面にフランジ部と、環状突条部を間隔をおいて複数突設したものであって、該環状突条部を案内筒の内面に形成した段付き嵌合凹面部に係止配備されていることを特徴とする洗濯機用排水トラップ。
【請求項７】
請求項２、３、４、５、または６に記載の洗濯機用排水トラップにおいて、前記目皿が目皿受に着脱自在にねじ込み或いは嵌合配備される凹凸係合部と係止凹部とを備え、目皿受に形成された仮止め部に係脱自在に配備されいるものであって、目皿の上面に回転操作用の指挿入凹部を凹設したことを特徴とする洗濯機用排水トラップ。
【請求項８】
請求項２、３、４、５、６または７に記載の洗濯機用排水トラップにおいて、前記排水トラップ本体が、洗濯機の排水を外部に漏れることなく受けて排出できる防水パンの排水口に定着されるものであって、前記目皿を防水パンの底面に水平状態に配備したことを特徴とする洗濯機用排水トラップ。
【請求項９】
請求項８に記載の洗濯機用排水トラップにおいて、前記排水トラップ本体が防水パンに定着されるものであって、該防水パン上面部を覆い、排水ホース取付用のホースジョイントを挿入する開口を底部に有し、該開口を下端面とする傾斜面からなる窪み凹部を形成した蓋体を前記防水パンに取り外し自在に備えたことを特徴とする洗濯機用排水トラップ。
【請求項１０】
請求項８または９に記載の洗濯機用排水トラップにおいて、前記蓋体が、前記防水パンの外周縁に突設されるフランジ部上に載置され、防水パンの外周側面を被覆するカバーを備えるものであって、無色透明ないし有色透明或いは半透明の合成樹脂によって構成され防水パン内部を透視できるようにしたことを特徴とする洗濯機用排水トラップ。
【請求項１１】
請求項９または１０に記載の洗濯機用排水トラップにおいて、前記防水パンが、防水パンの外周縁に突設されるフランジ部を載置する枠状台部材を備え、該枠状台部材に設けた上下に貫通する取付孔を介して取付ネジによって前記防水パンと共に床面上に固着したことを特徴とする洗濯機用排水トラップ。
【請求項１２】
請求項９、１０または１１に記載の洗濯機用排水トラップにおいて、前記排水トラップ本体および前記防水パンが、上下に対向する天板と底板と、この間に側板を有するボックス状のキャビネットの底板に直接または前記枠状台部材を介して固着配備されていることを特徴とする洗濯機用排水トラップ。
【請求項１３】
請求項１２に記載の洗濯機用排水トラップにおいて、前記キャビネットにドアを開閉自在に配備すると共に、キャビネット内に棚受部或いはスライドレールを介して棚板が取外自在或いは移動自在に配備されていることを特徴とする洗濯機用排水トラップ。
【発明の詳細な説明】
【技術分野】
【０００１】
本発明は、住宅内の洗い場或いはバスルームやマンションの台所、洗面所、ベランダ或いは防水パン、各種キャビネット内など床面の排水口に取り付けられる排水トラップ、特に洗濯機などの排水ホースを接続連結する洗濯機用排水トラップに関するものである。
【背景技術】
【０００２】
従来の排水トラップは、ホースジョイントが設けられ、洗濯機の排水ホースと接続され、排水ホースから流出する廃水（汚水）を床下に配設した排水管に案内するために用いられており、廃水は、ホースジョイントから排水トラップ内に流れ込み、排水管側へ送られ封水カップと封水筒とで保水する構造によってトラップを簡単に形成して、通常の排水管に洗濯機の排水を流す場合でも臭気の逆流を防止することができるようになっている。
【０００３】
特許文献１の排水トラップは、上方において開口し且つ側部に排水口を有する本体と、容器状をなし、本体の内周側において一体に設けられた封水槽と、その封水槽内に受け入れらて下端が封水槽の底部と所定距離隔てて対向された防臭筒と、その防臭筒の上端開口を塞ぐように配設され外周側に多数の通水口を有し且つ排水管接続口を有する目皿と、防臭筒の内周側にゆいて互いに偏心し且つ小径部に内接状態で一体成形の案内管とを有して構成されているものが開示されている。（特許文献１参照）
【特許文献１】公開実用新案公報  昭６２−２００７６９号
【発明の開示】
【発明が解決しようとする課題】
【０００４】
この従来の排水トラップが用いられる洗い場は、住宅などの家屋の床下が配管スペースとなっているため、敷設される排水トラップの設備も、床下にあって排水トラップ設備や配管の漏水の点検や設備良否の検査、点検が必要になっても、排水トラップ本体の内部が目視できないためにトラップや配管の良否が点検できず、また洗濯機排水ホースとの接続の確認もできないために漏水原因や設備検査特に満水検査時に床下の検査や、排水トラップ本体と排水管の接合状態の良否や排水トラップ本体やホース内の汚れも確認できない不便があって、ＳＡＲＳなどの感染原因となる恐れがあって施工作業や住宅の維持管理上に不安があって問題があった。  
また、排水トラップ本体内に防臭筒を装入する形態では、トラップ形成機構が挟隘部分に納められるために排水流路が十分確保できず、洗濯機から排出される水は洗濯槽に多量の水が溜まっている場合にはかなりの水圧を伴って排水されるので、溢流・漏水現象が多発したりして不衛生となり、その上、洗濯の際に生ずる糸くずその他のごみ類が流路に詰って水捌けが悪くなるし、掃除をも頻繁にしなくてはならない欠点があった。
【０００５】
本発明は、これら従来の不便さを排除しようとするもので、排水トラップ設備や配管の漏水の点検や設備良否の検査、点検が必要になっても、排水トラップ本体やホースジョイントが透明化することで、排水トラップ本体やホースジョイントの内部が目視できるためトラップや配管の良否やホースジョイントの接続状況の点検でき、特に満水検査時に床下の検査や、排水トラップと排水管の接合状態やホース接続の良否も確認できて、排水トラップ本体やホースジョイント内の汚れの清掃除去を促すことが容易であって、ＳＡＲＳなどの感染原因となる恐れがなく、施工作業や施工作業や住宅の維持管理が容易であり、連結部分の接着剤の塗り忘れや、奥まで配管が挿入されてないなどのチェック容易で漏水防止に威力を発揮できると共に、洗濯機の排水の際に排水量が増加しても消泡機能があって、排水が外部に溢れることなく水密状態を保って確実に排出できると共に、下流側からの臭気の逆流も確実に止めることができるほか、施行工事が容易で、しかも排水管内の高流速の維持で排水口のごみ詰り現象がなく安全に用いられる低コストの排水トラップを提供することを目的としている。  
【課題を解決するための手段】
【０００６】
上述の課題を解決するために本発明の洗濯機排水トラップは、防水パン或いは床面の排水口に嵌合されて床面に固定される排水トラップ本体に、トラップ機能をはたす封水カップと、該封水カップに流水間隔をあけて嵌挿され下端開口部で連通する封水筒と、さらに該封水筒に流水間隔をあけて嵌挿され、前記封水カップに載置される案内筒とを挿脱自在に備えると共に、該排水トラップ本体に、排水ホースが接続されるエルボを含む排水ホース取付用のホースジョイントを備えた目皿が目皿受を介して着脱自在にねじ込み或いは嵌合配備されるものからなり、さらに前記排水トラップ本体に排水管を連結できる接続部を一体形成し、この排水トラップ本体および前記ホースジョイントを無色透明ないし有色透明或いは半透明の合成樹脂によって目視可能の構成としたので、排水トラップ本体の内部が透視できトラップや配管の接続良否や汚れ状態が容易に点検でき、特に満水検査時に床下の検査や、排水トラップ本体と排水管の結合状態の良否も確認できて、施工作業や住宅の維持管理を容易化した。
【０００７】
この発明は、洗濯機用排水トラップの前記封水カップが、前記目皿受に挿脱自在に嵌挿される有底筒体であって、筒体上部周側面に流水スリットを複数設けると共に、前記封水筒を嵌合載置することと、前記封水筒が、前記封水カップに嵌挿されるテーパー筒部を有し、かつ前記目皿受に嵌合されるフランジを有する中空筒体であって、前記案内筒が排水トラップ本体の底面中央部位に形成されたなだらかな曲面からなる凸面部に臨んで所定間隔をあけて開口連通されている形態として、排水トラップでの排水流路を十分確保して排水管路内での高流速の維持が確実にできてごみ詰り現象がなく安全に用いられるようにした。
【０００８】
また、本発明では、前記案内筒が前記ホースジョイントに接続される中空筒体であって、筒体下端外周に外環板を突設し、該外環板に所定間隔をあけて筒体外周に消泡リブを設けると共に、前記封水カップの内底面に載置される翼片を所定間隔をあけて案内筒底面に立設して流水用の隙間をあけて配備され、しかも前記封水筒のフランジの底面にシール部材を定着して、該シール部材によって封水カップ上面に密着され、前記目皿を目皿受に嵌着することによって、臭気の逆流防止が可能で排水トラップ機能を十分発揮できるほか、その組み込み作業並びに清掃作業の簡便化を可能にした。
【０００９】
さらに本発明は、前記封水カップ、封水筒や案内筒が着脱自在なので、排水トラップ本体から封水カップ、封水筒、案内筒を取り外して清掃することが可能であり、且つ封排水ホース取付用のホースジョイントが、無色透明ないし有色透明或いは半透明の合成樹脂によって構成して内部を透視できるようにし、前記案内筒に嵌合する外周面にフランジ部と、環状突条部を間隔をおいて複数突設したものであって、該環状突条部を案内筒の内面に形成した段付き嵌合凹面部に係止配備されていることで、封水筒内への排水もスムーズで水密状態をも確実に保って排水できるほか、排水トラップ本体と排水ホースとの接続が確実化でき、接続状態ならびに汚れ状況の良否の確認も容易であり、漏水予防のほかＳＡＲＳなどの感染予防にも寄与できるようにした。
【００１０】
さらにまた本発明では、洗濯機用排水トラップにおいて、前記目皿が目皿受に着脱自在にねじ込み或いは嵌合配備される凹凸係合部と係止凹部とを備え、目皿受に形成された仮止め部に係脱自在に配備されいるものであって、目皿の上面に回転操作用の指挿入凹部を凹設したことと、前記排水トラップ本体が、洗濯機の排水を外部に漏れることなく受けて排出できる防水パンの排水口に定着されるものであって、前記目皿を防水パンの底面に水平状態に配備したことで、洗濯機用排水トラップの組み込み結合並びに取り外し分解作業の簡略化を容易に可能とした。
【００１１】
さらにこの発明の洗濯機用排水トラップは、前記排水トラップ本体が防水パンに定着されるものであって、該防水パン上面部を覆い、排水ホース取付用のホースジョイントを挿入する開口を底部に有し、該開口を下端面とする傾斜面からなる窪み凹部を形成した蓋体を前記防水パンに取り外し自在に備えたことで、洗い場などの床面での場所を取らずにコンパクトで体裁良好な形態で用いることができることを特徴とする。
【００１２】
また本発明では、前記蓋体が前記防水パンの外周縁に突設されるフランジ部上に載置され、防水パンの外周側面を被覆するカバーを備えたものであって、無色透明ないし有色透明或いは半透明の合成樹脂によって目視可能の構成とされ防水パン内部を透視できるようにしたことで、床面或いはキャビネット内での設置も簡便に行うことができ、点検時にも透視して洗濯機用排水トラップや防水パンの状況の確認ができ取扱い並びに施工管理の簡易化が図れるようにした。
【００１３】
本発明の洗濯機用排水トラップでは、前記防水パンの外周縁に突設されるフランジ部を載置する枠状台部材を防水パンの周囲に備え、該枠状台部材に設けた上下に貫通する取付孔を介して取付ネジによって前記防水パンと共に床面上に固着し、或いは防水パンを介して上下に対向する天板と底板と、この間に側板を有するボックス状のキャビネット或いは該キャビネットにドアを開閉自在に配備すると共に、キャビネット内に棚受部或いはスライドレールを介して棚板が取外自在或いは移動自在に配備されているキャビネットの底板に直接または前記枠状台部材を介して固着配備して、体裁良好な形態で用いられ洗濯機での排水は外部や周囲に溢れることなく安全に処理でき、排水管の下流側からの臭気の逆流も確実に止めのことが出来るほか住宅内の流し場を汚すこともなく見栄えのよい環境作りに寄与する形態で用いられるようにするのがよい。                                  
【発明の効果】
【００１４】
本発明は、排水トラップ設備や配管の漏水の点検や設備良否の検査、点検が必要になっても、排水トラップ本体やホースジョイントが目視可能の構成とすることで、排水トラップ本体やホースジョイントの内部が透視できて、排水トラップや配管の良否やホースジョイントの接続状況の点検でき、特に満水検査時に床下の検査や、排水トラップと排水管の接合状態、例えば、排水管の排水トラップ本体への配管接着剤の塗り忘れや塗布むらの不良或いは排水管の挿入不足など接続不良のチェックが透視で確認できて、施工作業や住宅内の排水設備の維持管理が容易であり、漏水防止に威力を発揮できると共に、排水トラップ本体内の汚れの清掃除去を促すことが容易であって、ＳＡＲＳなどの感染原因となる恐れがなく、排水管下流側からの臭気の逆流も確実に止めることができるほか、排水管内の高流速の維持で排水口のごみ詰り現象もなく安全に用いられる。
【００１５】
また、本発明によれば、洗濯機用排水トラップ本体内での封水筒が、封水カップに嵌挿されるテーパー筒部を有し、かつ前記目皿受に嵌合されるフランジを有する中空筒体であって、該フランジの底面にシール部材を定着して前記封水カップ上面に密着され、中空筒体の下端開口部内に前記案内筒外周に突設した消泡用リブが挿入配備され、前記案内筒が排水トラップ本体の底面中央部位に形成されたなだらかな曲面からなる凸面部に臨んで所定間隔をあけて開口連通されている形態として、排水トラップでの排水流路を十分確保して排水管路内での高流速の維持が確実にできてごみ詰り現象がなく安全に用いられ、しかも洗濯機の排水の際に排水量が増加しても消泡機能があって、排水が外部に溢れることなく水密状態を保って確実に排出できると共に、封水カップ、封水筒や案内筒が着脱自在なので、排水トラップ本体から封水カップ、封水筒、案内筒を取り外して容易に清掃することが可能であり、その取り外し或いは組み込み作業の簡素化が図れ、流し場などの汚水その他の水を扱う場所の施工工事も低コストで行なえる効果がある。
【００１６】
さらに、本発明では、排水ホース取付用のホースジョイントが、無色透明ないし有色透明或いは半透明の合成樹脂によって目視可能の構成とされて内部を透視できるようにし、前記案内筒に嵌合する外周面にフランジ部と、環状突条部を間隔をおいて複数突設したものであって、該環状突条部を前記案内筒の内面に形成した段付き嵌合凹面部に係止配備されていることで、封水筒内への排水もスムーズで水密状態をも確実に保って排水できるほか、排水トラップ本体と排水ホースとの接続不良、例えばホースジョイントへの排水ホースの挿入不足或いは案内筒へのホースジョイントの挿入不足など接続不良が確実にチェックでき、さらにホースジョイントの配管内の汚れ状況の良否の確認も容易であり、漏水予防のほかＳＡＲＳなどの感染予防にも寄与して環境衛生の向上に役立つものである。      
【００１７】
さらにまた、本発明の洗濯機用排水トラップでは、排水トラップ本体が防水パンに定着されるものであって、該防水パン上面部を覆い、排水ホース取付用のホースジョイントを挿入する開口を底部に有し、該開口を下端面とする傾斜面からなる窪み凹部を形成した蓋体を前記防水パンに取り外し自在に備えたことで、洗い場などの床面での場所を取らずにコンパクトで体裁良好な形態で用いられ、また前記蓋体が前記防水パンの外周縁に突設されるフランジ部上に載置され防水パンの外周側面を被覆する外周壁部を備えるものであって、無色透明ないし有色透明或いは半透明の合成樹脂によって構成され防水パン内部を透視できるようにしたことで、床面或いはキャビネット内での設置も簡便に行うことができ、点検時にも内部を透視して洗濯機用排水トラップや防水パンの状況の確認ができるので、その取扱い並びに施工管理の簡易化が図れるし、洗濯作業上の取扱いや整理整頓を著しく容易にして、室内排水設備として体裁良好な形態で用いられる。
【００１８】
また、本発明の洗濯機用排水トラップは、封水筒の周方向に開口して排水カップ内に納められるので、排水流路を十分に確保できごみ類の詰り現象がなく、殊に排水トラップ本体内で排水カップおよび案内筒と封水筒体で構成される内外空間周辺を中心に強い乱れを伴なう反転流を形成することとなり、汚水中の糸くづ髪毛などのごみ類の引掛かりがなく、排水トラップ機能をも十分に発揮できる配管接続が容易にでき、施行工事も簡便で汎用性に富み、カップ以降の下流部においても管壁近傍の高流速が維持され管内施回流を形成して、管路流の閉塞現象の発生がなく有効に用いられ、清掃作業を頻繁にする必要がなく取扱い易い効果がある。
【００１９】
本発明の洗濯機用排水トラップの構成では、流し場などの汚水その他の水を扱う場所の洗濯機での排水は、外部や周囲に溢れることなく安全に処理できので、住宅内の流し場を汚すこともなく有効に用いられ、しかも洗濯機用排水トラップの施工のバリエーションも増えるので洗濯処理の水回りをもすっきりさせて、スマートで見栄えのよい環境作りの向上を図ることができる。
【００２０】
さらに、本発明の洗濯機用排水トラップは、洗濯作業などの水取扱い作業に際して付帯して使用したり、取り扱ったりする洗剤や清掃用具のほか洗濯物などの用品類を置いたり、始末したりしてする物品の整理、管理が容易で住宅内の作業場や流し場などの室内を汚したり、不体裁にすることなく用いられると共に、漏水事故、排水異常などの発生状況をいち早く発見できるし、洗濯機を外したり移動したりすることなくそのままの状態で排水設備の清掃、点検、補修することができ、その維持管理を良好にすることができるなどの効果もある。
【発明を実施するための最良の形態】
【００２１】
以下、本発明の実施の形態を図面を参照して説明する。
この実施の形態の第１実施例における洗濯機排水トラップは、図１乃至図７に示すように、排水管Ａに連結される排水トラップ本体１が防水パン１０或いは床面の排水口に嵌合され床面上に載置固定されて用いられるが、該排水トラップ本体１に、トラップ機能をはたす封水カップ２と、該封水カップ２に流水間隔をあけて嵌挿され下端開口部３１で連通する封水筒３と、さらに該封水筒３に流水間隔をあけて嵌挿され、翼片８を介して前記封水カップ２に載置される案内筒４とを挿脱自在に備えると共に、前記排水トラップ本体１に、排水ホースＢが接続されるエルボを含む排水ホース取付用のホースジョイント５を備えた目皿６が目皿受７を介して着脱自在にねじ込み或いは嵌合配備されたものからなり、さらに前記排水トラップ本体１に排水管Ａを連結できる横引き或いは縦引きの接続部１１を一体形成し、この排水トラップ本体１を無色透明ないし黄色、赤色、青色等の顔料によって着色した有色透明或いは半透明の合成樹脂例えば、ＡＢＳ樹脂、ＰＰ樹脂或いはアクリル樹脂などによって内部を透視できる目視可能の構成としてある。
なお、前記防水パン１０は、ＡＢＳ樹脂、ポリエステル系樹脂などの熱可塑性硬質合成樹脂或いは再生ポリエチレン樹脂などで成形され、周縁に立ち上がった周壁を有し、排水外周に垂れ流すことがなく受けることができ受けた排水を排水口より排出できるにしたものが用いられる。  
【００２２】
前記封水カップ２としては、前記目皿受７に挿脱自在に嵌挿される有底筒体であって、筒体上部周側面にオーバーフロー孔の流出スリット９を周方向に間隔をおいて複数設けてあり、また、封水カップ２内に流水間隔をあけて嵌挿される前記封水筒３も前記封水カップ２に嵌挿されるテーパー筒部３２を有し、かつ前記目皿受７に嵌合されるフランジ１３を有する中空筒体であって、該フランジ１３の底面にリング状の平パッキンなどのシール部材１６を定着して、該シール部材１６によって封水カップ上面に密着され、前記目皿６を目皿受７に嵌着することによって、臭気の逆流防止が可能で排水トラップ機能を十分発揮できるほか、その組み込み作業並びに清掃作業の簡便化を可能にするのが好ましく、さらに該中空筒体の下端開口部３１内に前記案内筒外周に突設した消泡リブ１４が挿入配備される形態とするのがよい。（図１〜図３）    
なお、前記封水筒３は軽量性、耐熱性に優れたＡＢＳ、ＰＰ樹脂などで、上部をカップ状の円錐筒形に成形され、その内面上部に補強リブを有し、中央部に案内筒４が備えられ、前記封水カップ２の内周に嵌装保持されて用いられる。        
また、前記排水トラップ本体１の底面には、前記封水カップ２を載置する凸面部１２を形成し、該凸面部１２に嵌合するなだらかな曲面からなる凹面部１２１を前記封水カップ２の底面部に設けて、封水カップ２が排水トラップ本体１内の所定位置に確実に保持でき位置決めできるようにするのがよく、該凸面部１２１に臨んで前記案内筒４が所定間隔をあけて開口連通するようにして排水の流れに溜まりや衝突をできるだけなくして、より良い排水の流れを形成することができる。
さらに、排水トラップ本体１内に封水カップ２が同心的に配備されるが、各筒体の周囲に形成した流水用の隙間を均等に保って適確な位置決めが行われ、トラップ機構として着脱自在に嵌入保持される。前記シール部材１６としては、アクリル系樹脂、オレフィン系樹脂、ポリエステル系樹脂、ポリカーボネート系樹脂、ポリプロピレン系樹脂、素散れん系樹脂、ウレタン系樹脂などが用いられる。
【００２３】
なお、前記排水トラップ本体１は透明合成樹脂で内部を目視可能の構成してあるが、さらに、トラップ機能をはたす封水カップ２も同様に透明合成樹脂で構成してもよいし、該封水カップ２に流水間隔をあけて嵌挿される封水筒３と、或いは該封水筒３に流水間隔をあけて嵌挿され、前記封水カップ２に載置される案内筒４とをも透明合成樹脂によって目視可能の構成とすることもできる。この場合、透明合成樹脂で構成するのを外側から内部を透視できる範囲を決めて選択するが、着色透明の度合いも適宜選んで組み合わせるのも有効であり、排水トラップ本体１の接続部１１に接続する排水管Ａの接合状態を目視で確認するには、有色接着剤を用いて接着剤の塗り忘れや塗布むらの不良或いは排水管Ａの挿入不足など接続不良を透視で容易に確認できるようにするのがよい。
【００２４】
例えば、前記封水カップ２には、貯留水中に漬かる筒状の封水筒３によりトラップ機構を備えるが、前記ホースジョイント５を経て案内筒４に入った汚水は、案内筒４の周方向にほぼ全周にわたって広く開いた開放型の下端開口４１から封水カップ２に導入される。
次いで、流水隙間を形成する翼片８によって誘導され、さらに封水カップ２の湾曲側壁に沿って上向流で流過して上部の流出スリット９からオーバーフローして噴出される。一方前記目皿７から流入する漏れ水は案内筒４の外周を伝って下端開口３１から外周を流れる上向流に巻き込み誘引混合されて流水スリット９からオーバーフローして噴出され、排水トラップ本体１の接続部１１に接続された排水管Ｂに排出される。
この場合、前記排水トラップ本体１内に封水筒３で構成される空間周辺を中心に強い乱れを伴なう反転流を形成することとなり、この形式の流れ場は広い範囲の乱れをもっていて、特に比較的規模の大きな巻き込み流を発生させることができるため、封水筒３の壁付近の流速は激しく外周方向に誘導されて、洗剤等の管壁への付着を防げる効果をもつほか、下流の半径方向流速分布にも影響を与え、流路が縮小している流れ場においては、縮小している側の流速も増大し、この結果、その下流部においても管壁近傍の高流速が維持されて管内流を形成し、管路流の閉塞現象やごみ詰り現象の発生がなく有効に用いられる。
【００２５】
この実施例での前記案内筒４は、両端開口で前記ホースジョイント５に接続される中空筒体であって、下端開口４１の筒体下端外周に外環板１５を突設し、該外環板１５に所定間隔をあけて筒体外周に消泡リブ１４を設けると共に、下面に前記封水カップ２の内底面に載置される翼片８を所定間隔をあけて立設されて前記封水筒３との間に流水隙間をあけて配備されていて、案内筒４を封水筒３と共に抜き取ったときに翼片８が封水カップ２の内底面に残らないで前記封水カップ２の内底面が掃除し易いようにしてある。（図４）
【００２６】
また、前記案内筒４に嵌挿される排水ホースり取付用ホースジョイント５としては、無色透明ないし有色透明或いは半透明の合成樹脂、例えばＥＶＡ樹脂、ＰＰ樹脂、ポリエチレン樹脂等の合成樹脂によって目視可能の構成として内部を透視できるようにし、かつホースジョイント５の外周面に、前記案内筒４に挿入し易く脱抜しにくい円錐面を持ったフランジ部５１と、環状突条部５２を間隔をおいて複数突設したものであって、該フランジ部５１を前記を案内筒４の内面に形成した段付き嵌合凹面部４２にカチット止まるように係止配備されていることで、封水筒３内への排水もスムーズで水密状態をも確実に保って排水できるほか、ホースジョイント５の挿入不足など接続不良が確実にチェックできるようにするのがよく、また排水ホースＢとの接続不良、例えばホースジョイント５への排水ホースＢの挿入不足或いは接続不良の確認ができ、さらにホースジョイント５の配管内の汚れ状況の良否の目視も容易であり、漏水予防のほかＳＡＲＳなどの感染予防にも役立つようにするのが好ましい。また、案内筒４に消泡リブ１４を形成してあるので貯留水の泡立ちを未然に防ぎ、目皿６から逆流噴出することがなく排水トラップ本体１を衛生的に使用できる。（図５）
【００２７】
この場合、洗濯機の前記排水ホースＢは、ホースジョイント５のに嵌挿接続されナイロンバンド等のホース固定バンド（図示せず）によってホースジョイント５の取付け部５３に連結されて排水トラップ本体１が洗濯機に接続されて用いられる。
また、エラストマーなどの軟性樹脂からなる前記ホースジョイント５を流出孔のある目皿６或いはパッキンホルダーで、排水トラップ本体１に締め付ける形態とすることもでき、ホースジョイント５に接続される案内筒４に相対するフランジ部が押し付けられるようにしても、水密に保った状態で強固に接続することができるが、いずれにしても前記ホースジョイント５を目皿６に直接或いはパッキンホルダーを介して着脱自在に目皿６或いは排水トラップ本体１に保持する形態として施行工事も簡便で汎用性に富んだものにすることもできる。
【００２８】
前記ホースジョイント５の固定用の目皿６或いはパッキンホルダーとしては、中央にホースジョイント５の嵌合孔を有する中空板或いは円筒体からなり、旋回操作用のすべり防止の凹凸面を外側に設け、目皿受７或いは排水トラップ本体１に設けた凸状係合部或いはねじ部を嵌合させるガイド凹溝或いはねじ部を備え、前記排水トラップ本体１に封水カップ２及び封水筒３を嵌入したのち、案内筒４を接続したしてホースジョイント５の一端開口を連結し、目皿６或いはパッキンホルダーを装着すれば、前記封水カップ２および封水筒３からなるトラップ形成体を容易に組み入れセットすることができる。
【００２９】
前記排水トラップ本体１と、該排水トラップ本体１に取り付けた前記目皿受７との間に、リング状のスリップパッキンのシール部材１７を介在配備して、防水パン１０の排水口に排水トラップ本体１を嵌着するが、さらに目皿受７に目皿６に嵌着することによって、前記案内筒４が、排水トラップ本体１に封水密着配備されて排水トラップを漏水防止形態とすることができる。
この前記排水トラップ本体１と環状枠体からなる目皿受７との嵌合面にはねじ込み或いは嵌合配備される凹凸係合部１８を備え、目皿受７と目皿６との嵌合面に形成された仮止め部１９で目皿６を係脱自在に配備されいるものであって、目皿６の上面に回転操作用の指挿入凹部２０を凹設して目皿６を嵌め込み回転する。例えば２０〜１８０度の範囲好ましくは４５〜９０度さらに好ましくは６０〜９０度の角度で移動して開閉操作し易くして目皿受７に目皿６を仮止めしたり取り外したりして着脱できるようにする嵌着方法で前記案内筒４が、排水トラップ本体１に封水密着配備されて排水トラップを漏水防止形態とすることができる。この場合、前記仮止め部１９としては、前記目皿６の嵌合凸部と、目皿受７に形成したリング凸条との係脱構成を用いるのがよい。例えば、目皿受７のリング凸条にある嵌合凹部に目皿６の嵌合凸部を上方から差し込んで、該嵌合凸部をリング凸条の下面に沿って９０度回動すれば、目皿６を目皿受７に定着し閉状態にすることができ、開状態には目皿６を回動して戻し嵌合凸部をリング凸条にある嵌合凹部に合わせれば、目皿受７から取り外すことができる。なお、開閉位置は目皿受７の表面に表示あるいは目印７１を付けておけば取付け取り外し操作がしやすい。（図６〜図７）
【００３０】
図８および図９に示す第２実施例では、前記排水トラップ本体１を防水パン１０に備えるのに、防水パン上面部を覆い、排水ホース取付用のホースジョイント５を挿入する開口２１を底部に有し、該開口２１を下端面とする傾斜面からなる窪み凹部２２を形成した蓋体２３を前記防水パン１０に取り外し自在に備えたものである。
この例では、前記蓋体２３が、防水パン１０の外周縁に突設されるフランジ部１０１或いは周壁部上に載置されるものであって、無色透明ないし有色透明或いは半透明の合成樹脂、例えば前記排水トラップ本体１或いはホースジョイント５と同様な素材を用いることによって目視可能の構成として防水パン内部を透視できるようにし、さらに防水パン１０の外周側面を被覆するカバー２３１或いは防水パン１０の外周縁を被覆する段縁を必要に応じ備えるのが縁取り装飾と外傷を防ぐための安全性を兼ね備えるのがよく、また、前記防水パン１０の外周縁に突設されるフランジ部１０１を載置する枠状台部材２４を必要に応じ備え、該枠状台部材２４に設けた上下に貫通する取付孔２５を介して取付ネジによって前記防水パン１０と共に床面上に固着するようにするのもよい。
【００３１】
なお、窪み凹部２２としては、開口２２を中心点とした扇状の円弧形状として先端に向かって深さが漸減する凹面部とし、洗濯機排水ホースＢの向きを換えられる余裕を持たせて洗濯機の設置位置の変更に対応するようにするのがよいし、さらに前記蓋体２３に開口２１を下端面とする傾斜面からなる窪み凹部２２を形成したことで、排水ホースＢを誘導案内して収納でき洗濯機から床面の排水口に排水をスムーズに排出することができると共に、洗濯機排水ホースの収まりもよく洗い場などの床面での場所を取らずにコンパクトで体裁良好な形態で用いることができる。また、前記蓋体２３が目視可能の構成とされ防水パン内部を透視できるようにしたことで、床面或いはキャビネット内での設置も簡便に行うことができ、点検時にも透視して洗濯機用排水トラップや防水パンの状況の確認ができ取扱い並びに施工管理の簡易化が図れる。
【００３２】
さらに、前記蓋体２３を被せた防水パン１０の周囲に位置する縁取り化粧板の前記カバー２３１は、前記防水パン１０の周囲に突設されるフランジ部を載置する載置面を有するチャンネル材（樹脂或いは木材）からなる枠状台部材２４を介在して、該枠状台部材２４の数カ所に設けた上下に貫通する取付孔２５に差し込んだ取付けネジによって、前記防水パン１０と共に床面上に固着するのがよく、取付部分のネジ頭を前記蓋体２３によって被せるか或いは貫通して取扱い装飾用の化粧カバーとしてリビングに適合した体裁良好な形態にするように配備してある。  
【００３３】
図１０に示す第３の実施例では、前記排水トラップ本体１を周壁部１０２と洗濯機受台部１０３とのある防水パン１０に備えたもので、洗濯機の排水を外部に漏れることなく受けて排出できる防水パンの排水口に定着され、目皿６を防水パンの底面に水平状態に配備した例で、横引き接続部１１のある排水トラップ本体１は、前例と同様な構成のもの、即ちトラップ機能をはたすものを用いたものからなり、排水ホース取付用のホースジョイント５のあるごみよけ目皿６を目皿受７に着脱自在にねじ込み或いは嵌合配備してある。
そして、ホースジョイント５の他端開口のホース受けパイプに洗濯機の排水ホースＢを挿入接続すれば、排水トラップの施工作業を終了することができる。
この防水パン１０の排水口は、目皿６で覆われていてこれを取り外せば、排水トラップ本体１からトラップ機能をはたす案内筒と封水筒および排水カップを取り除くことができ、排水管Ａを高圧洗浄等の清掃整送も容易に行えるし、排水ホースＢのホースジョイント５も目皿６に回転自在に連結して洗濯機排水ホースＢとの取扱いを簡易にすることができる。  また、前記排水ホースＢは、ホース固定バンドなどによってホースジョイント５に嵌挿入状態を維持できるようにするのがよく、排水トラップ本体１にトラップ機能をはたす機構を組み込み式に備えているので、さびることがなく、清潔性を大いに維持することができるとともに取扱いがきわめて容易となる。
【００３４】
図１１に示す第４実施例では、前記排水トラップ本体１を防水パン１０に備えるのに、第１実施例或いは第２実施例の防水パン１０を上下に対向する天板２７と底板２８と、この間に側板２６を有するボックス状のキャビネット３０の底板２８に直接または前記枠状台部材を介して固着配備されていて、排水は外部や周囲に溢れることなくキャビネット３０内で安全に処理でき、排水管の下流側からの臭気の逆流も確実に止めることができるほか住宅内の流し場を汚すこともなく見栄えのよい環境作りに寄与する形態で用いられるようになっている。
このキャビネット３０には、ドア３１を開閉自在に配備すると共に、キャビネット内に棚受部或いはスライドレールを介して棚板３２が取外自在或いは移動自在に適宜間隔に配備されていて、洗濯作業に際して付帯して使用したり、或いは取扱上用いられる用品例えば洗剤や清掃用具や洗濯物などの置場の確保やその整理、管理を簡便に行え、汚らしく不快な感じを与えずに見栄えがよく処理でき洗濯機周囲の体裁も良好に維持できるようにするのがよい。また、前記防水パン１０は、キャビネット３０の底板２８に固着配備されているので、排水設備配管の全面的な交換が必要となるまでの期間内に実施される点検、清掃並びに補修の維持管理が簡単に行える形態となる。                                
【図面の簡単な説明】
【００３５】
【図１】本発明に係る洗濯機排水トラップを示し、（ａ）はその縦断面図、（ｂ）はその一部の詳細を示す拡大縦断面図である。
【図２】図１の例の洗濯機排水トラップを示し、（ａ）はその側面図、（ｂ）はその平面図である。
【図３】図１の例の洗濯機排水トラップを示し、（ａ）は図１のＸ−Ｘ線における縦断面図、ｂ）はそのｅ部の詳細を示す拡大縦断面図、（ｃ）は図１のＸ１−Ｘ１線における横断面図である。
【図４】図１の例で用いられる案内管を示し、（ａ）はその縦断面図（ｂ）はその側面図、（ｃ）はその平面図、（ｄ）はその底面図である。
【図５】図１の例のホースジョイントを示し、（ａ）はその一部を切断した側面図、（ｂ）はその底面図、（ｃ）はその正面図である。
【図６】図１の例で用いられる目皿を示し、（ａ）はその平面図（ｂ）はその側面図、（ｃ）はＹ−Ｙ線における縦断面図、（ｄ）はＺ−Ｚ線における縦断面図である。
【図７】図１の例で用いられる目皿受を示し、（ａ）はその平面図（ｂ）はその側面図、（ｃ）は縦断面図である。
【図８】本発明に係る洗濯機排水トラップの第２実施例を示し、（ａ）はその平面図、（ｂ）はその縦断面図である。
【図９】図８の例の洗濯機排水トラップの分離状態の斜視図である。
【図１０】本発明に係る洗濯機排水トラップの第３実施例を示し、（ａ）はその平面図、（ｂ）はその縦断面図である。
【図１１】本発明に係る洗濯機排水トラップの第４実施例を示し、（ａ）はその一部を切断した側面図、（ｂ）はその一部を切断した正面図である。
【符号の説明】
【００３６】
Ａ    排水管    
Ｂ    排水ホース
１    排水トラップ本体
２    封水カップ  
３    封水筒      
３１  下端開口部
３２  テーパー筒部
４    案内筒  
４１  下端開口部
４２  嵌合凹面部
５    ホースジョイント
５１  フランジ  
５２  環状突条部
６    目皿  
７    目皿受  
７１  目印      
８    翼片    
９    流出スリット
１０    防水パン
１１    接続部
１２    凸面部
１３    フランジ      
１４    消泡リブ
１５    外環板
１６，１７    シール部材  
１８    凹凸係合部      
１９    仮止め部  
２０    指挿入凹部  
２１    開口
２２    窪み凹部  
２３    蓋体
２４    枠状台部材
２５    取付孔  
２６    側板                                                                    ２７    天板  
２８    底板
３０    キャビネット
３１    扉
３２    棚板
【図１】
2006097408.tif 000003
【図２】
2006097408.tif 000004
【図３】
2006097408.tif 000005
【図４】
2006097408.tif 000006
【図５】
2006097408.tif 000007
【図６】
2006097408.tif 000008
【図７】
2006097408.tif 000009
【図８】
2006097408.tif 000010
【図９】
2006097408.tif 000011
【図１０】
2006097408.tif 000012
【図１１】
2006097408.tif 000013